(57)【特許請求の範囲】
【請求項１】
バスダクトに取り付けられる箱体と、
前記箱体の一方面から突出する分岐用端子と、
前記箱体内に収納され且つ前記分岐用端子に接続された遮断器とを有し、
前記筐体の一方面が前記バスダクトに取り付けられる取付面になっており、
前記箱体には、前記遮断器と接続され且つ機器に電気を供給するケーブルを引き出すケーブル引出口が設けられ、
前記箱体は、前記分岐用端子が収納された空間と、前記遮断器が収納された空間とを区分けする仕切板が前記取付面に直交するように形成され、該仕切板に前記遮断器が取り付けられていることを特徴とするバスダクトの分岐装置。
【請求項２】
前記遮断器が前記取付面に対して直交するように取り付けられていることを特徴とする請求項１記載のバスダクトの分岐装置。
【請求項３】
前記ケーブルが前記分岐装置から垂直に引き出され、
前記取付面から突出する分岐用端子の突出方向と、前記ケーブル引出口から引き出されるケーブルの引き出し方向とが同じであることを特徴とする請求項１又は２に記載のバスダクトの分岐装置。
【請求項４】
前記仕切板に、前記分岐用端子と前記遮断器とを電気的に接続する導体を挿通可能な挿通穴が形成されていることを特徴とする請求項１乃至３の何れかに記載のバスダクトの分岐装置。
【請求項５】
前記箱体が側面視Ｌ字形に形成されていることを特徴とする請求項１乃至４の何れかに記載のバスダクトの分岐装置。
【請求項６】
請求項１乃至５の何れかに記載のバスダクト分岐装置をバスダクトに取り付けてなるバスダクトの分岐構造において、
水平方向に布設された前記バスダクトの上面に開口部が形成され、該開口部に前記分岐装置の分岐用端子を挿通することにより分岐可能であり、
前記ケーブル引出口から引き出されるケーブルは、前記バスダクトの側面方向に沿って該バスダクトの底面に向かって引き出されることを特徴とするバスダクトの分岐構造。
【発明の詳細な説明】
【技術分野】
【０００１】
本発明は、電気幹線路を形成するバスダクトの分岐装置及びバスダクトの分岐構造に関し、例えば、工場、データセンター等において各設備機器への電気の供給を行うバスダクトの分岐装置及びバスダクトの分岐構造に関する。
【背景技術】
【０００２】
従来から、バスダクトに流れる電気を設備機器などに分岐して供給するバスダクト分岐装置が用いられている。
【０００３】
例えば、特許文献１には、主導体と分岐導体の同相間を接続導体を介して電気的に接続し、複数相の分岐を行う分岐装置が開示されている。この分岐装置は、接続導体と分岐導体の同相間を電器的に接続可能な複数の分岐接続部と、この分岐接続部が収納された箱状体と、箱状体に設けられ、当該分岐導体が挿通される分岐挿通孔とを有し、複数の分岐接続部の少なくとも一部が、前記主導体の外方に向かってデルタ配置関係で配設されている。この分岐装置は、バスダクトの導体に接続させるための分岐用端子が箱状体の一端部（下面部）から突出している。また、分岐装置は、前記分岐用端子の突出方向と、箱状体から引き出されるケーブルの引出方向とが直交する構成になっている（特許文献１の図１、２、７参照）。
【０００４】
また、特許文献２には、ダクト本体のプラグインホールにプラグヘッドを差し込んで導通可能に取付けられるダクトの分岐装置が開示されている。この分岐装置は、プラグインホールの開口周縁部に弾性係止するフックと、このフックの係止を解除する解除部材とからなる係脱機構とを備えた構成が採用されている。この分岐装置は、プラグヘッドの突出方向と、当該分岐装置から引き出されるケーブルの引出方向とが逆方向になっている（特許文献２の図１参照）。
【先行技術文献】
【特許文献】
【０００５】
【特許文献１】特許第３６４４６７０号公報
【特許文献２】特開平６−６９２９号公報
【発明の概要】
【発明が解決しようとする課題】
【０００６】
ところで、工場やデータセンター等の施設に設置された設備機器の上方側に、送電用の帯板状の導体を複数有するバスダクトを水平方向に配設する場合、全ての相において熱放散が良好に平均化されることが好ましく、帯板状の導体を縦配置して横方向に複数並設することが望まれている。
しかし、設備機器の上方側において、水平方向に布設されたバスダクト（導体を縦配置して横方向に複数並設したバスダクト）に、上述した従来技術の分岐装置を取り付け、バスダクトの下方の設備機器にバスダクトから電気を分岐して供給しようとした場合、以下に示す課題が生じる。
また、バスダクトに取り付けられる分岐装置は、バスダクトの側面や下面に取り付けることも良く行われているが、重い分岐装置を持ちながらの作業となり、取付作業に多大な労力を費やすこととなる。更に、バスダクトの導体に分岐装置の分岐用端子を確実に接続する際にある程度の力が必要であるが、横或いは上方向への力を入れづらく、且つ例えばバスダクトが吊り下げられている現場等は、バスダクト自体を押さえながら分岐装置を取り付けなければならないため、これもまた多大な労力を費やすこととなる。これらを解消するために分岐装置を取り付ける際に分岐装置の重さを利用して取り付けが可能であることから、分岐装置をバスダクトの上面に取り付けることが望まれている。
【０００７】
具体的には、特許文献１に記載の分岐装置は、箱状体から引き出されるケーブルの引出方向が、箱状体から突出する分岐用端子の突出方向と直交する構成になっている。そのため、水平方向に布設されたバスダクト（導体を縦配置して横方向に複数並設したバスダクト）の上面に、特許文献１に記載の分岐装置を取り付け、バスダクトの下方に設置されている設備機器に分岐装置からケーブルを引き出して接続する場合、当該ケーブルを屈曲させながら設備機器へ配線しなければならない。この場合、むき出しになっているケーブルが美観を損ねるだけでなく、分岐装置から接続対象の機器までの間にケーブルを屈曲させるために必要なスペースを確保しなければならないという課題が生じる。
【０００８】
一方、水平方向に布設されたバスダクト（導体を縦配置して横方向に複数並設したバスダクト）に、特許文献２に記載の分岐装置を取り付ける場合、分岐装置がバスダクトの下面に取り付けられ、ケーブルが下方に引き出された状態になるため、上記の課題は解消される。しかし、特許文献２に記載の分岐装置は、バスダクトの下面に取り付けられる構成になっている。そのため、分岐装置が不安定になると共に、分岐装置にバスダクトから離れる方向に力が加わる。その結果、特許文献２に記載の分岐装置は、落下防止等の安全対策のために、強固な固定構造等が必要になり、高価なものになるという別の課題を発生させる。
なお、バスダクトの上面に、特許文献２に記載の分岐装置を取り付けることも考えられるが、この場合、バスダクトの上面から上方に向けて垂直にケーブルが引出されるため、バスダクトの下方の設備機器にケーブルを接続しようとすると、特許文献１に記載の分岐装置と同様の課題が生じる。
【０００９】
本発明は、上記課題に鑑みてなされたものであり、容易に分岐装置をバスダクトに取り付けることができ、安価に且つ安全にバスダクトから設備機器への分岐可能であると共に、ケーブルを屈曲させるスペースが不要になるバスダクトの分岐装置及びバスダクトの分岐構造を提供することを目的とする。
【課題を解決するための手段】
【００１０】
上記課題を解決するためになされた本発明は、バスダクトに取り付けられる箱体と、前記箱体の一方面から突出する分岐用端子と、前記箱体内に収納され且つ前記分岐用端子に接続された遮断器とを有し、前記筐体の一方面が前記バスダクトに取り付けられる取付面になっており、前記箱体には、前記遮断器と接続され且つ機器に電気を供給するケーブルを引き出すケーブル引出口が設けられ、前記箱体は、前記分岐用端子が収納された空間と、前記遮断器が収納された空間とを区分けする仕切板が前記取付面に直交するように形成され、該仕切板に前記遮断器が取り付けられていることを特徴とする。
【００１１】
また、前記遮断器が前記取付面に対して直交するように取り付けられていることが望ましい。
【００１２】
また、前記ケーブルが前記分岐装置から垂直に引き出され、前記取付面から突出する分岐用端子の突出方向と、前記ケーブル引出口から引き出されるケーブルの引き出し方向とが同じであることが望ましい。
【００１３】
また、前記仕切板に、前記分岐用端子と前記遮断器とを電気的に接続する導体を挿通可能な挿通穴が形成されていることが望ましい。また、前記箱体が側面視Ｌ字形に形成されていることが望ましい。
【００１４】
また、本発明は、前記バスダクト分岐装置をバスダクトに取り付けてなるバスダクトの分岐構造において、水平方向に布設された前記バスダクトの上面に開口部が形成され、該開口部に前記分岐装置の分岐用端子を挿通することにより分岐可能であり、前記ケーブル引出口から引き出されるケーブルは、前記バスダクトの側面方向に沿って該バスダクトの底面に向かって引き出されることを特徴とする。
【００１５】
このように、本発明の分岐装置は、箱体の取付面から突出する分岐用端子と、箱体に設けられたケーブル引出口から引き出されるケーブルの引き出し方向とが同じになっている。
そのため、設備機器の上方側に、水平方向に布設されたバスダクト（帯板状の導体を縦配置して横方向に複数並設したバスダクト）に、本発明の分岐装置を配設し、バスダクトの下方の設備機器に電気を供給する場合、分岐装置から引き出されたケーブルを屈曲させて配線する必要がない。具体的には、バスダクトの上面に、分岐装置の分岐用端子を挿入可能な開口部を設ける。そして、開口部に前記分岐用端子を挿入して、前記導体と分岐用端子とを接続すると共に、箱体の取付面をバスダクトの上面側に固定する。このように、バスダクトの上面に本発明の分岐装置を取り付けると、分岐装置のケーブルが下方に向けて引き出された状態になるため、バスダクトの下方に設置されている設備機器に対して、ケーブルを屈曲させて配線する必要がない。その結果、本発明の分岐装置を用いれば、特許文献１に記載の分岐装置のように、美観を損ねることなく、バスダクトから設備機器に向けて電気を供給するケーブルを配線できる。また、本発明の分岐装置を用いれば、ケーブルを屈曲させるために必要な距離を確保する必要がない。
また、本発明の分岐装置は、特許文献２に記載の分岐装置のようにバスダクトの下面に設置する構成ではなく、バスダクト上面に設置することを想定した構成になっているため、強固な固定構造が不要になる。その結果、本発明の分岐装置は、特許文献２に記載の分岐装置と比べて、安価に安全な（落下するリスクが低い）分岐装置が提供される。
【発明の効果】
【００１６】
本発明によれば、容易に分岐装置をバスダクトに取り付けることができ、安価に且つ安全にバスダクトから設備機器への分岐可能であると共に、ケーブルを屈曲させるスペースが不要になるバスダクトの分岐装置及びバスダクトの分岐構造が提供できる。
【図面の簡単な説明】
【００１７】
【図１】本発明の実施形態のバスダクトを説明するための模式図であり、（ａ）は平面を示した模式図、（ｂ）は側面を示した模式図である。
【図２】図１に示したバスダクトの断面を示した模式図である。
【図３】本発明の実施形態の分岐装置を示した模式図であり、（ａ）は正面を示した模式図、（ｂ）は側面を示した模式図である。
【図４】本発明の実施形態の分岐装置の固定部材を示す斜視説明図である。
【図５】本発明の実施例形態の分岐装置の扉を開放した状態を示した模式図である。
【図６】本発明の実施形態のバスダクトに分岐装置を取り付けた状態を示した模式図であり、（ａ）は平面を示した模式図、（ｂ）は正面を示した模式図である。
【図７】本発明の実施形態のバスダクトに分岐装置を取り付けた状態の側面を示した模式図である。
【図８】本発明の実施形態のバスダクト及び分岐装置をサーバラック上に配設した状態の正面を示した模式図である。
【図９】本発明の実施形態のバスダクト及び分岐装置をサーバラック上に配設した状態の側面を示した模式図である。
【図１０】本発明の実施形態の分岐装置の変形例を示した模式図である。
【発明を実施するための形態】
【００１８】
以下、本発明の実施形態のバスダクトの分岐装置及びバスダクトの分岐構造について図面に基づいて説明する。尚、本発明のバスダクトの分岐装置及びバスダクトの分岐構造は、以下の実施形態に限定されるものではない。
【００１９】
先ず、本実施形態の分岐装置Wが取り付けられるバスダクトＢの構成を図１、２に基づいて説明する。
本実施形態のバスダクトＢは、空気絶縁型バスダクトであり、図１に示すように、４線からなる帯状の導体１を所定間隔離間した状態で配置し、これらを絶縁性の支持ホルダーＨで保持した構成になっている。具体的には、バスダクトＢは、断面略コ字形のハウジング半体２ａ、２ｂ（図１（ｂ）、図２参照）を嵌め合わせることにより内部に略矩形の空間を形成するバスダクトハウジング２内に、上記の支持ホルダーで保持された「４線からなる導体１」を収納することにより形成されている。
【００２０】
また、バスダクトハウジング２の上面（図１（ａ）の前面）には、所定間隔で開口部２ｃが形成されている。また、バスダクトハウジング２には、開口部２ｃを閉塞するシャッター３が設けられている。このシャッター３は、分岐装置Ｗの分岐用端子２０が挿入される際に、観音開きのように下方に倒れて分岐装置Ｗの分岐用端子２０を挿入可能な構成になっている。
【００２１】
また、バスダクトハウジング２の両側面（図１（ａ）の上下面）には、長手方向（図１（ａ）の左右方向）に２つの凹部２ｄ（図２参照）が形成されており、この２つの凹部２ｄ間に存在する部分にビス６などでハウジング半体２ａ・２ｂ相互を固定する構造となっている。また、バスダクトハウジング２の長手方向両端で且つ上下面には、それぞれ切欠２ｅ（図１（ａ）参照）が設けられ、この切欠２ｅ部分において導体１・１相互を突き合わせ、図示しない導体接続金具で接続する構成となっている。
なお、切欠２ｅ部分において導体１・１相互を突き合わせて前記導体接続金具で接続した後、この切欠２ｅ部分を塞ぐカバー部材を外側から被覆することによりバスダクト幹線が形成されるようになっている。また、バスダクトハウジング２・２同士は、接続金具５にて接続されている。
【００２２】
次に、バスダクトの分岐装置Ｗの構成を図３〜図５に基づいて説明する。
バスダクトの分岐装置Ｗは、図３に示すように、中空箱状の箱体１０と、箱体１０の下面（後述する取付面１０ａ）から突出する導電性部材で形成された分岐用端子２０と、箱体１０に収納され且つ分岐用端子２０と電気的に接続された遮断器３０と、箱体１０の下面に設けられた固定部材４０と、遮断器３０に電気的に接続され且つ箱体１０の下方に引き出されるケーブル５０とを有している。
【００２３】
なお、本実施形態の分岐装置Ｗは、箱体１０の下面（取付面１０ａ）から突出する分岐用端子２０の突出方向と、遮断器３０に接続されたケーブル５０の引き出し方向とが同じ方向になるように構成されている。また、遮断器３０は、箱体１０の内部において、箱体１０の下面（取付面１０ａ）に対して直交する方向に設置されている。
【００２４】
また、上記の箱体１０は、上面に分岐装置Ｗを把持可能な取手１１が設けられていると共に、内部に仕切板１２が形成されている（仕切板１２が箱体１０の下面（取付面１０ａ）に対して直交するように形成されている）。この仕切板１２により、箱体１０の内部が、分岐用端子２０を収納する空間Ｓ１（図２（ａ）の左側）と、遮断器３０を収納する空間Ｓ２（図２（ａ）の右側）とに区分けされている。
なお、仕切板１２の上方側には、分岐用端子２０と遮断器３０とを電気的に接続する導体５２を挿通可能な挿通穴１２ａが設けられている。
【００２５】
また、上記の箱体１０は、分岐用端子２０を収納する空間Ｓ１側の下面が、分岐装置ＷをバスダクトＢの上面に取付ける取付面１０ａになっており、この取付面１０ａに、当該取付面１０ａから下方に突出するホルダー２３が設けられている。このホルダー２３は、異相の分岐用端子２０（４つの分岐用端子２０）を相互に絶縁した状態で保持している。
【００２６】
なお、本実施形態では、分岐用端子２０が、一対の挟持片を備えるクリップ部２０aと、クリップ部２０ａの基端から延設された基部２０ｂとを有する構成になっている。そして、クリップ部２０ａが、バスダクトハウジング２の内部に挿入されると、一対の挟持片によりバスダクトハウジング２の内部に収納されている導体１を挟持できるようになっている。
なお、図３（ａ）に示す例では、基部２０ｂには、遮断器３０に接続する導体５２（或いは、アタッチメント６０を介して、ケーブル５０のアース線に接続するための導体５２）が接続されている。そして、各分岐用端子２０は、クリップ部２０ａが取付面１０ａから突出し、且つ基部２０ｂが箱体１０の内部の空間Ｓ１に収納されるように、ホルダー２３に保持されている。
【００２７】
また、上記の箱体１０下面には、ホルダー２３を挟むようにバスダクトＢに取り付けた際にバスダクトハウジング２の凹部２ｄに引っかかり、箱体１０をバスダクトハウジング２に固定する固定部材４０が突出形成されている。
【００２８】
この固定部材４０は、図４に示すように箱体１０の下面に取り付けられるベース部材４１と、ベース部材４１に軸部４２で固定状態となる動作部材４３と、動作部材４３とベース部材４１との間に介在する弾性部材４４とで構成されている。なお、軸部４２は、例えば、ビス等により構成され、弾性部材４４は、例えば、バネ等により構成されている。
【００２９】
上記のベース部材４１は、箱体１０の下面に固定される略矩形板状のベース基部４１ａと、ベース基部４１ａの四側端（四辺）のうち「一方の向かい合う二側端（二辺）」を箱体から離間する方向に屈曲延設してなる１対の脚片４１ｂと、ベース基部４１ａの「他方の向かい合う二側端（二辺）」を箱体から離間する方向に屈曲延設してなる１対の補強片４１ｃと、脚片４１ｂの二側端を互いに離反する方向に屈曲延設してなるベース固定片４１ｄとを備えている。
尚、ベース基部４１ａの中央部には、取付面１０ａから突出する分岐用端子２０及びホルダー２３を挿通させるための貫通孔４１ａ１が形成されている。また、ベース固定片４１ｄは、その下方側に軸部４２を挿通可能な孔が穿設されており、当該孔に挿通された軸部４２により、後述する動作部材４３と固定されるようになっている。
【００３０】
また、動作部材４３は、上記の脚片４１ｂと平行に配置された略矩形板状の動作基部４３ａと、この動作基部４３ａの二側端を脚片４１ｂ側に屈曲延設させ且つベース固定片４１ｄの外側に位置するように配置された１対の動作固定片４３ｂと、この動作固定片４３ｂの一端縁に略三角形状に突出し、後述するバスダクトハウジング２０に係止される係止片４３ｃとを備えている。また、動作基部４３ａの下方にバネ等の弾性部材４４を配設すると共に、ビス４５に弾性部材４４を挿通することにより、弾性部材４４自体が保持される構成となっている。更に、動作基部４３ａに設けられた開口４３ａ１が、把持可能な把持部の役割を果たしている。
【００３１】
また、図３（ａ）に示すように、箱体１０は、遮断器３０を収納する空間Ｓ２側の下面で、且つ遮断器３０を収納する空間Ｓ２側に位置する固定部材４０よりも外側に、各設備機器に接続するケーブル５０とワンタッチで取付可能なアタッチメント（ケーブル引出口に相当）６０が設けられており、各設備機器に通電可能な構成となっている（ケーブル５０がアタッチメント６０を介して遮断器３０に電気的に接続されている）。
【００３２】
また、箱体１０の側面のうちの仕切板１２と相対向する面１０ｄには、ケーブル５０、導体５２の接続状態及び遮断器３０の状態等を把握可能な確認窓７０が設けられている（確認窓７０は、透明な部材で構成されている）。また、遮断器３０は、遮断器３０のオンオフを行うスイッチＳＷが、確認窓７０に相対向するように配置された状態で仕切板１２に取り付けられている。
尚、図５に示すように、確認窓７０が設けられている面１０ｄは、上部に固定された部分を軸に回動開放可能な扉面の構成となっていると共に、扉面下方側中央には鍵穴８０が形成された錠が設けられている。この構成により、遮断器３０のオンオフ作業を、当該錠を開閉する鍵を持っている人のみが可能な構成になり、むやみに遮断器３０をオフにされることを未然に防止できる。
【００３３】
次に、図１に示すバスダクトＢに、本実施形態の分岐装置Ｗを取り付ける手順について、図６、７を参照しながら説明する。
【００３４】
具体的には、バスダクトハウジング２の上面に形成された開口部２ｃを閉塞するシャッター３に、分岐装置Ｗの取付面１０ａから突出する分岐用端子２０（クリップ部２０ａ及びホルダ２３）を挿入して、バスダクトハウジング２内の導体１と分岐用端子２０とを電気的に接続すると共に、分岐装置Ｗの箱体１０の下面に設けられた一対の動作固定片４３ｂから突出する係止片４３ｃを、バスダクトハウジング２の両側面の凹部２ｄに引っかけて固定する。
尚、シャッター３に分岐用端子２０（クリップ部２０a及びホルダ２３）を挿入すると、シャッター３が下方に倒れて分岐用端子２０（クリップ部２０a及びホルダ２３）がバスダクトハウジング２の内部に挿入され、図６（ｂ）に示すように、挿入された分岐用端子２０（クリップ部２０a）が、バスダクトハウジング２内の対応する導体１を挟持するようになっている。
【００３５】
これにより、図６に示すように、分岐装置Ｗは、バスダクトＢの上面（図６（ａ）の前面）に配置される。また、遮断器３０の状況を確認できる確認窓７０が、バスダクトＢの側面側に位置すると共に（図７参照）、各設備機器へ配線されるケーブル５０が、分岐装置Ｗの下方から導出され、バスダクトＢの側面方向に沿ってバスダクトＢの底面に向かって引き出される。また、固定部材４０の係止片４３ｃは、図６（ｂ）に示すようにバスダクトハウジング２の上側に位置する凹部２ｄに入り込み、分岐装置Ｗが固定状態になる。
【００３６】
そして、データセンター等に設置されたサーバラックＳＲ上に、本実施形態のバスダクトＢを配設し、バスダクトＢに分岐装置Ｗを取り付け、サーバラックＳＲ内の機器にバスダクトＢからの電気を供給する場合、図８、９に示すように、分岐装置Ｗから最短距離でサーバラックＳＲ内にケーブル５０を挿通することができ、美観に優れた電気配線路を形成することが可能となる。
具体的には、図９に示すように、バスダクトＢの導体１は、縦配置であり、横方向に４線が並列配置されている状態で、サーバラックＳＲ上に架台を介して固定されており、全ての相において熱放散が良好に平均化されるようになっている。また、図８に示すように、サーバラックＳＲの扉側に遮断器３０、確認窓７０及び鍵穴８０が位置するように分岐装置Ｗが配置される。また、分岐装置Ｗから下方に向けて垂直にケーブル５０が引き出される構成になっているため、ケーブル５０を屈曲させながらサーバラックＳＲ内に配線する必要がなく、最短距離でサーバラックＳＲ内にケーブル５０を挿通することができる。
【００３７】
また、本実施形態の分岐装置ＷはバスダクトＢの上面に設置する構成になっているため、安定した状態で分岐装置Ｗを取り付けることが出来ると共に、遮断器３０、確認窓７０及び鍵穴８０がサーバラックＳＲの扉側に位置するため、遮断器３０の状況を容易に把握することができ、電源のオンオフ作業も容易に行うことができる。
【００３８】
以上、本発明の実施形態について様々な例を説明したが、本発明は上記実施形態に限定されるものではなく、その要旨の範囲内において様々な拡張及び変形が可能である。
【００３９】
例えば、上記実施形態で説明したバスダクトＢ及びバスダクトハウジング２の形状及び接続構造は一例であり、上記実施形態に限定されるものではない。バスダクトに関しては３線式以下、或いは５線式以上であっても良く、また上記実施形態では空気で絶縁する空気絶縁型バスダクトの例を示したが、絶縁導体を密着させる絶縁型バスダクト、絶縁導体を所定距離離間して配設するバスダクト等適宜であり、接続構造に関しては接続すべき導体相互を重ね合わせて締着具で締着する所謂重ね合わせ接続であっても良い。
【００４０】
また、ケーブル５０をワンタッチで取付可能なアタッチメント６０を使用せずに、箱体１０の下面に、遮断器３０から直接ケーブル５０を引き出すケーブル引出口を設ける構成にしても良い。この構成によれば、アタッチメント６０を配置する空間を確保する必要が無くなるため、分岐装置Ｗ自体の高さを低く抑えることが可能となり好適である。
【００４１】
また、本実施形態の分岐装置Ｗを、図１０に示す構成にしても良い。図１０は、本実施形態の分岐装置の変形例を説明するための模式図である。尚、図１０では、説明の便宜上、上述した実施形態と同じ構成及び相当する構成には同じ符号を付けている。
【００４２】
具体的には、図１０に示す変形例の分岐装置Ｗは、箱体１０を側面視Ｌ字形に形成すると共に、上述した実施形態の構成から、アタッチメント６０を無くして、遮断器３０にケーブル５０を直接接続すると共に、箱体１０の下面（遮断器３０の下方側）にケーブル引出口１５を開口し、遮断器３０からケーブル５０を引き出す構成にした。また、本変形例の分岐装置Ｗは、固定部材４０を無くし、遮断器３０を被覆せずに、スイッチ部分のみ露出する構成にしている。更に、図示する例では、クリップ部２０a近傍まで遮断器３０を下げると共に、仕切板１２を箱体１０内の上面まで設けない構成としている。本変形例によれば、分岐装置Ｗの箱体１０自体の小型化が図れると共に、遮断器３０の高さを低くでき、且つケーブル３０の露出をより一層減らすことが可能となる。
【産業上の利用可能性】
【００４３】
本発明は、建築物等に布設されるバスダクトの分岐装置及びバスダクトの分岐構造に利用することができ、データセンターだけでなく、当然のことながら、工場、マンション、オフィスビル等に利用することができる。
【符号の説明】
【００４４】
Ｂ…バスダクト
Ｈ…支持ホルダー
１…導体
２…バスダクトハウジング
２ａ、２ｂ…ハウジング半体
２ｃ…開口部
２ｄ…凹部
２ｅ…切欠
５…接続金具
６…ビス
Ｗ…分岐装置
１０…箱体
１０ａ…取付面
１１…取手
１２…仕切板
１２ａ…挿通穴
１５…ケーブル引出口
２０…分岐用端子２０
２０ａ…クリップ部
２０ｂ…基部
２３…ホルダー
３０…遮断器
ＳＷ…スイッチ
４０…固定部材
４１…ベース部材
４１ａ…ベース基部
４１ａ１…貫通孔
４１ｂ…脚片
４１ｃ…補強片
４１ｄ…ベース固定片
４２…軸部
４３…動作部材
４４…弾性部材
４３ａ…動作基部
４３ａ１…開口
４３ｂ…動作固定片
４３ｃ…係止片
４４…弾性部材
４５…ビス
５０…ケーブル
５２…導体
６０…アタッチメント
７０…確認窓
８０…鍵穴
【図１】
0006395551.tif 000002
【図２】
0006395551.tif 000003
【図３】
0006395551.tif 000004
【図４】
0006395551.tif 000005
【図５】
0006395551.tif 000006
【図６】
0006395551.tif 000007
【図７】
0006395551.tif 000008
【図８】
0006395551.tif 000009
【図９】
0006395551.tif 000010
【図１０】
0006395551.tif 000011